(57)【要約】【課題】  障子が風を受けて自然に開閉する横軸回転窓において、障子をロック装置により確実にロックできるようにすること。【解決手段】  窓枠３４の左右縦枠材１２ａ，１２ｂ，１２ｃの中間高さより上部に障子１を偏心状態で軸支し、軸支箇所より上側部分の障子の室内面側に重り１４を取付け、室内側に、障子と分離して設けた障子開閉装置２と、障子を閉鎖状態でロックするロック装置３５と、障子が風に煽られて閉鎖する際に障子の下部側の室内側面に当接して衝撃を吸収するクッション装置４２とを備え、障子を障子開閉装置により閉鎖する際、クッション装置の障子当接部５２を室内側に移動させてクッション装置を働かないようにするクッション解除装置５４を設けてあることを特徴とする。【選択図】      図５
2005146544.tif 000002
【特許請求の範囲】
【請求項１】
窓枠（３４）の左右縦枠材（１２ａ，１２ｂ，１２ｃ）の中間高さより上部に障子（１）を偏心状態で軸支し、軸支箇所より上側部分の障子の室内面側に重り（１４）を取付け、室内側に、障子と分離して設けた障子開閉装置（２）と、障子を閉鎖状態でロックするロック装置（３５）と、障子が風に煽られて閉鎖する際に障子の下部側の室内側面に当接して衝撃を吸収するクッション装置（４２）とを備え、障子を障子開閉装置により閉鎖する際、クッション装置の障子当接部（５２）を室内側に移動させてクッション装置を働かないようにするクッション解除装置（５４）を設けてあることを特徴とする横軸回転窓。
【請求項２】
前記クッション解除装置（５４）が、駆動手段（３９）により往復移動するロック装置の可動部（３７）に取付けたカム部材（４３）と、クッション装置（４２）の近傍に設けられ、カム部材に接触してクッション装置の障子当接部（５２）を移動させる連動部材（５５）とで構成してあることを特徴とする請求項１記載の横軸回転窓。
【発明の詳細な説明】
【技術分野】
【０００１】
本発明は、横軸回転窓に関するもので、より詳しくは障子が風を受けて自然に開閉して換気が行える横軸回転窓に関する。
【背景技術】
【０００２】
本出願人は、障子が風を受けて自然に開閉して換気が行われる自然換気窓を先に出願している。この窓は横軸回転窓の一種で、窓枠の左右縦枠材の中間高さより上部に、障子を偏心状態で軸支し、軸支箇所より上側部分の障子の室内面側に重りを取付けてあり、室内側には障子の開閉する範囲を規制したり、障子を強制的に閉鎖ないし開放するための障子開閉装置を設けてある。障子開閉装置は、図１３に示すように、障子８０の支軸８１と略同じ高さにモーターで回転する回転軸８２を設け、この回転軸に開閉アーム８３を取付け、開閉アームの先端部に障子の縦框に当接するローラー８４を取り付けたもので、図１３（ａ）に示すように、開閉アーム８３を室内側の斜め上向きに保持すると、風の力により障子が閉鎖状態から開閉アームのローラー８４に当接するまでの範囲でスイングする。障子８０を閉鎖するときは、図１３（ｂ）に示すように、開閉アーム８３を上向きに回転させ、障子８０の上側を開閉アームのローラー８４で押して閉鎖する。また、火災等の非常時には、開閉アーム８３を室外側の斜め下向きの状態にまで反転させ、障子８０を下側から支えるようにして開放状態を保持する。開閉アーム８３の先端部には、障子８０が強風に煽られて勢いよく開き、開閉アームのローラー８４に衝突した際の衝撃を吸収するためのクッション機構８５を設けてある（特許文献１及び２参照。）。
【０００３】
窓枠の縦枠材の下部側には、障子が風に煽られて勢いよく閉まった際の衝撃を吸収するためにクッション装置８６を設けている。クッション装置８６は、図１３に示すように、アーム８７を水平軸８８で揺動可能に軸支し、アーム８７にロッド８９をバネ９０で室外側に付勢して保持し、ロッドの先端部にローラー９１を設けたもので、図１３（ａ）に示すように、障子８０が自然に開閉する状態にあるときには、アーム８７が横倒れ状態となっており、強風に煽られて障子８０が勢いよく閉まろうとすると障子縦框がクッション装置のローラー９１に衝突し、ローラー９１がバネ９０に抗して室内側に押し込まれることで、障子が閉まるときの衝撃を吸収する。一方、図１３（ｂ）に示すように、障子８０を開閉アーム８３によりゆっくりと閉鎖させる際には、クッション装置８６は、ローラー８４が回転しながらアーム８７が水平軸８８を支点として揺動して起き上がり、衝撃吸収機能は発揮されない（特許文献３及び４参照）。
【０００４】
さらにこの種の横軸回転窓には、障子を閉鎖状態にロックするためのロック装置を設けている。ロック装置は、ロック手段９２を窓枠の下枠材に沿って移動自在に設け、障子の下框の室内側に、ロック手段と係合する係止具９３を設けてあり、ロック手段をシリンダーやモーター等により移動させることにより施錠・開錠を行う（特許文献１及び２参照。）。
【特許文献１】特開平１０−１０２９３２号公報
【特許文献２】特開２０００−２２０３４６号公報
【特許文献３】特開２０００−８６９９号公報
【特許文献４】特開２００２−８９１２９号公報
【発明の開示】
【発明が解決しようとする課題】
【０００５】
以上のように構成された横軸回転窓において、障子を障子開閉装置にて閉鎖する際には、窓枠に設けたロック装置のロック手段を、障子の係止具と係合しない位置に移動させておいて、障子を開閉アームで閉鎖した後、ロック手段を移動させて係止具と係合させて障子をロックする。障子を開閉アームで閉鎖している最中には、先に述べたようにクッション装置は通常は働かない。しかし、障子を開閉アームで閉鎖する途中で強風が吹いたときには、障子が開閉アームを離れて勢いよく閉まり、クッション装置が働いてしまうことがある。そうすると、障子がクッション装置に押されて跳ね返り、開閉アームの先端部にもクッション機構を設けてあることもあって、障子がきちんと閉鎖していない状態でロック装置が施錠動作を行い、ロックが不掛かりとなることがあった。
【０００６】
本発明は以上に述べた実情に鑑みてなされたものであって、障子が風を受けて自然に開閉する横軸回転窓において、障子をロック装置により確実にロックできるようにすることを目的とする。
【課題を解決するための手段】
【０００７】
上記の課題を達成するために請求項１記載の発明は、窓枠の左右縦枠材の中間高さより上部に障子を偏心状態で軸支し、軸支箇所より上側部分の障子の室内面側に重りを取付け、室内側に、障子と分離して設けた障子開閉装置と、障子を閉鎖状態でロックするロック装置と、障子が風に煽られて閉鎖する際に障子の下部側の室内側面に当接して衝撃を吸収するクッション装置とを備え、障子を障子開閉装置により閉鎖する際、クッション装置の障子当接部を室内側に移動させてクッション装置を働かないようにするクッション解除装置を設けてあることを特徴とする。クッション解除装置は、クッション装置を働かないようにするために、クッション装置の障子当接部を強制的に移動させるものを意味し、ロック装置や障子開閉装置と連動して動作するもの、独立して動作するもののいずれであってもよい。
【０００８】
請求項２記載の発明は、前記クッション解除装置が、駆動手段により往復移動するロック装置の可動部に取付けたカム部材と、クッション装置の近傍に設けられ、カム部材に接触してクッション装置の障子当接部を移動させる連動部材とで構成してあることを特徴とする。ここでカム部材とは、ロック装置の可動部の移動方向に対して傾いた面等を有するものを云い、連動部材とはカム部材に接触して回動したり上下動したりして、クッション装置の障子当接部に動きを伝えるものを云う。連動部材は、クッション装置自体に設けてあってもよい。
【発明の効果】
【０００９】
請求項１記載の発明による横軸回転窓は、障子を障子開閉装置により閉鎖する際、クッション解除装置によりクッション装置を働かないようにするので、閉鎖動作中に障子が強風に煽られて閉鎖した場合でも、障子がクッション装置により跳ね返されることがなく、きちんと閉鎖した状態でロック装置により障子を確実にロックできる。
【００１０】
請求項２記載の発明によれば、クッション解除装置の動作をロック装置の駆動手段によって行うので、クッション装置の解除動作と障子のロック動作を一連に確実に行うことができ、また、クッション解除装置のための特別な駆動手段が必要ないので、機構の簡素化、低コスト化が図られる。
【発明を実施するための最良の形態】
【００１１】
以下、本発明の実施の形態を図面に基づいて説明する。図１〜図１１は、本発明に係る横軸回転窓の一実施形態であって、２連窓としたものを示している。この窓は、図１１に示すように、上枠材１０と、下枠材１１と、左右の縦枠材１２ａ，１２ｂと、中間の縦枠材１２ｃとにより窓枠３４を構成し、左側の縦枠材１２ａと中間の縦枠材１２ｃとの間、右側の縦枠材１２ｂと中間の縦枠材１２ｃとの間に、それぞれ障子１を支軸５で回転自在に軸支してある。支軸５は、障子１を中間高さより上部で偏心状態に軸支しており、障子上框１３の室内側には重り１４が取付けてあって、障子１は風の力と重り１４とのバランスにより自然に開閉するようになっている。中間の縦枠材１２ｃの室内側には、障子１の開閉する範囲を規制したり、障子を強制的に閉鎖ないし開放するための障子開閉装置２を設置してある。障子開閉装置２は、一つの独立したユニットとして構成してある。
【００１２】
障子開閉装置２は、図１と図２に示すように、中間の縦枠材１２ｃの室内側面にボルト１５で取付ける断面コ字形のベース８に軸受け１６を対向して設け、軸受け１６に回転軸４を水平に支持し、回転軸４の両端部に開閉アーム６を取付け、開閉アーム６を障子１から離して設けてある。回転軸４は、障子の支軸５と平行に、且つ略同じ高さに設置してあり、後述するリニアアクチュエータ３により回転駆動される。開閉アーム６は、約１３５°の角度で開いた二本の腕７ａ，７ｂを有するへの字形となっており、その屈折部で回転軸４に垂直に取付けてある。各腕７ａ，７ｂの先端部には、各障子１の内側の縦框１７の室内側面に当接するゴムローラー１８ａ，１８ｂを軸支してある。開閉アーム６の回転軸４への取付部の構造は、図２と図３に示すように、略円筒状のケース体１９の内部に四角い穴２０を掘り、そこに直方体形に形成したゴム製の軸取付部材９を収容し、軸取付部材９に貫通して設けた四角い穴２１に、角柱状に形成した回転軸の先端部２２を挿入し、ケース体１９に開閉アーム６をビス２３で固定し、開閉アーム６及びケース体１９が回転軸４から抜けないように、軸端に取付けたキャップ部材２４で開閉アーム６を押さえている。このように、開閉アームと回転軸との間にゴム製の軸取付部材９を介在させ、これを介してトルクが伝達されるようにしたので、障子１が強風に煽られて急激に開閉して、開閉アームのゴムローラー１８ａ，１８ｂに衝突したとしても、軸取付部材９がその衝突の衝撃を吸収し、騒音の発生や障子開閉装置２等の故障を防止できる。なお、ゴム製の軸取付部材９の替わりに、金属製のコイルバネ等を用いてもよい。
【００１３】
回転軸４の中央部には、駆動用アーム２５を固定してあり、駆動用アーム２５の先端部に、リニアアクチュエータ３の伸縮するロッド２６の先端部をピン２７で連結してある。リニアアクチュエータ３は、末端部を支持金具２８にピン２９で揺動可能に軸支してあり、支持金具２８はアングル状の取付金具３０によりベース８にボルト３１で取付けてある。支持金具２８と取付金具３０との間にはクッション部材３２を挟んであり、ここでも障子１が強風で煽れて開閉アームのゴムローラー１８ａに衝突したときの衝撃を吸収する。また、取付金具３０のボルト挿通孔３３は上下方向の長孔となっており、これによりリニアアクチュエータ３の位置を上下に調整し、開閉アーム６の角度を簡易に微調整できる。リニアアクチュエータ３自体の構造は問わないが、例えばサーボモーターによってネジ軸を回転し、ネジ軸に挿通したナットが移動することによりロッド２６が伸縮するものを用いることができる。
【００１４】
障子開閉装置２は以上のように構成され、リニアアクチュエータのロッド２６を最も伸ばすと、図９（ａ）に示すように、開閉アーム６の上側の腕７ａに取付けたゴムローラー１８ａが、障子縦框１７の支軸５より上側に当接して、障子１を閉鎖する。ロッド２６を中間位置に停止させ、図９（ｂ）に示すように、開閉アーム６の上側の腕７ａを斜め上向きの状態に保持すると、障子１が閉鎖状態からアームの上側の腕７ａのゴムローラー１８ａに当接するまでの範囲で、風の力で自動的にスイングする。ロッド２６を最も縮めると、図９（ｃ）に示すように、開閉アーム６の下側の腕７ｂが室外側に斜め下向きに突出する形となり、その腕に取付けたゴムローラー１８ｂが、障子縦框１７の支軸より下側に当接し、障子１を開放状態に保持する。また、図９（ａ）に示す状態で、リニアアクチュエータのロッド２６を縮めて回転軸４を時計回りに回転させると、開閉アームの下側の腕７ｂに取付けたゴムローラー１８ｂが障子縦框１７の下側に当接して障子が回転し、閉鎖した障子を開放することもできる。図９（ａ）の状態から図９（ｃ）の状態までの回転軸４の回転角度は、約１００°である。
【００１５】
障子開閉装置２はユニット化されているので、工場での組立が容易である。また、工場で予め組立・調整を行っておき、建築現場では、障子１を入れた窓枠の縦枠材１２ｃに室内側からボルト１５で簡単に取付けできる。また、窓枠を建築現場に搬入する前に、窓枠の縦枠材１２ｃに障子開閉装置２を予め取付けておくこともできる。いずれにしても、障子開閉装置の取付けや調整に要する時間が、従来に比べて大幅に削減できる。また、ベース８にカバーを取付けてリニアアクチュエータ３等を隠蔽すれば、室内側の意匠性も良好となる。
【００１６】
下枠材１１には、障子１を閉鎖状態にロックするロック装置３５を設けてある。図４と図８に示すように、下枠材１１には、左右の障子１の下側位置にレール３６を長手方向に取付けてあり、該レールにスライダー３７をスライド自在に案内してある。左右の障子用のスライダー３７は連結バー３８で連結してあり、リニアアクチュエータ３９のロッド４０を伸縮させることにより、一体となって左右にスライドする。各スライダー３７の中央部には、障子１の下框に設けた係止具４１に係合するロックピン６１を取付けてあり、ロックピン６１はスライダー３７とともに左右に移動し、障子１の施錠・開錠を自動的に行う。各スライダー３７には、左右の縦枠材１２ａ，１２ｂ側の端部に、以下に説明するクッション装置４２が障子を閉める際に働かないようにするためのカム部材４３を取付けてある。カム部材４３は、図７に示すように、スライダー３７の移動方向に対して室内外方向に傾斜した傾斜面部４４と、平行部４５とを有している。また、カム部材４３をスライダー３７に取付けている取付孔４６は左右方向の長孔となっており、カム部材４３の取付位置は左右に調整できる。
【００１７】
左右の縦枠材１２ａ，１２ｂの下部側には、障子１が強風に煽られて勢いよく閉鎖したときの衝撃を吸収するためのクッション装置４２を備えている。クッション装置４２は、図５、図６、図７に示すように、縦枠材１２ａ，１２ｂにビス止めした本体部４７に、アーム４８を障子の支軸５と平行な水平軸４９で揺動可能に軸支し、アーム４８にロッド５０を室外側にバネ５１で付勢して出入り可能に保持し、ロッド５０の先端部に、障子縦框１７に当接するゴムローラー５２を軸支してある。図６に示すように、障子１が開放しているときには、アーム４８は重力の作用により室外側に向けて倒れ、ロッド５０と障子縦框１７の長手方向とで形成される上側の角度が９０°より僅かに大きい角度となるように、ストッパー５３でアーム４８を支えている。これにより、障子１が強風に煽られて勢いよく閉鎖したときには、障子１がバネ５１に抗してゴムローラー５２を室内側に押し込んで衝撃が吸収され、障子開閉装置２の開閉アーム６により障子１をゆっくり閉鎖したときには、ゴムローラー５２が障子縦框１７に当接して回転しながらアーム４８が室内側に倒れ、バネ５１がほとんど撓ませられることなく、アーム４８が障子１に斜めに寄りかかる状態となる。
【００１８】
このようにアーム４８は、障子１を開閉アーム６で閉鎖することにより通常は自然に室内側に向けて倒れるが、まれに閉鎖動作中に障子１が強風で煽られてゴムローラー５２に衝突し、障子１がバネの力で跳ね返り、障子１がきちんと閉まらない内にロック装置３５が作動して、ロックが不掛かりとなることがある。これを防止するために、本横軸回転窓ではクッション装置のアーム４８を強制的に室内側に倒して、障子１を閉鎖する際にクッション装置４２が働かないようにするクッション解除装置５４を設けている。クッション解除装置５４は、先に説明した下枠材１１上を左右にスライドするカム部材４３と、クッション装置４２に揺動可能に設けた連動部材５５とで構成してある。連動部材５５は略Ｌ字形に形成され、その屈折部を本体部４７から突出したブラケット５６にピン５７で軸支してある。カム部材４３が図７に示す状態から右側に移動すると、連動部材５５の下側のレバー５８がカム部材４３の傾斜面部４４に押されて連動部材５５が回転し、連動部材５５のもう一方のレバー５９から突出したピン６０がゴムローラー５２を押し上げ、図５に示すように、障子１と当接しないところまで移動させる。この状態で障子１を障子開閉装置２により閉鎖すれば、クッション装置４２が働くことがないので障子１を必ずきっちりと閉鎖することができ、ロック装置３５によるロックも確実になされる。
【００１９】
障子１を閉鎖する際の、障子開閉装置２、ロック装置３５の動作手順を図１０に即して述べると、図１０（ａ）は、障子１が自然に開閉するようにしている時の状態を示しており、この時はカム部材４３が連動部材５５から離れた位置にあって、クッション装置４２が機能する状態となっている。障子１を閉鎖する際には、障子開閉装置２を動作させる前にロック装置３５をいったん駆動し、連動部材５５のレバー５８がカム部材４３の傾斜面部４４を乗り越えるまでスライダー３７を右方向に移動させる。この時には、図１０（ｂ）に示すように、クッション装置４２はアーム４８が室内側に倒れて機能しない状態となっており、ロックピン６１はまだ障子１の係止具４１と係合しない位置にあり、この状態で障子開閉装置２を駆動して開閉アーム６により障子１を閉鎖する。その後、ロック装置３５を再度駆動して、スライダー３７をさらに右方向に移動させ、図１０（ｃ）に示すように、ロックピン６１を障子１の係止具４１に係合させて障子１を閉鎖状態にロックする。障子１を開放する際には、以上の動作を逆に行う。
【００２０】
以上に説明した２連窓のユニットを横並びに多数設置すれば、多連窓を容易に構成することができる。この場合に障子は、各２連窓のユニットごとに独立して開閉することができる。また、障子開閉装置２の開閉アーム６を回転軸４の片側のみに設け、３本の縦枠材１２ａ，１２ｂ，１２ｃの何れか２本に当該障子開閉装置２を設置した場合には、一枚の障子１ごとに独立して開閉できる。また、上枠材１０と下枠材１１の長さを長くして、中間の縦枠材１２ｃ及び障子開閉装置２の数を増やせば、障子１を３枚以上備える多連窓を構成できる。
【００２１】
本発明による横軸回転窓は、以上に述べた実施形態に限定されない。窓枠の構成は自由であり、障子を一枚だけ備えた単窓であってもよい。また連窓とする場合の窓枠の構成としては、単窓の窓枠の縦枠材を方立で連結したものであってもよい。図１２は、この場合の方立周辺の横断面図であり、窓枠３４は障子一枚ごとに構成して左右の方立６２間に室内側から嵌め込み、縦枠材１２ａ，１２ｂを方立６２の係合部６３に室内側から係合させてあり、方立６２の室内側面にボルト１５で取付けた障子開閉装置２のベース８で縦枠材１２ａ，１２ｂの室内側面を押さえ、縦枠材１２ａ，１２ｂが方立６２から外れないようにしている。またクッション解除装置は、ロック装置の駆動手段によりロック装置と連動して動作するものに限らず、障子開閉装置の駆動手段により障子開閉装置と連動して動作するものであってもよいし、ロック装置や障子開閉装置とは独立して駆動するエアシリンダー等であってもよい。カム部材は、上下方向に傾斜した傾斜面部を有するものであってもよく、連動部材はその傾斜面部に接触して単に上下動してクッション装置のゴムローラーやアームを動かすものであってもよい。
【図面の簡単な説明】
【００２２】
【図１】図１１におけるＡ−Ａ断面図である。
【図２】図１１におけるＢ−Ｂ断面図である。
【図３】開閉アームの回転軸への取付部の構造を示す分解斜視図である。
【図４】図１１におけるＣ−Ｃ断面図である。
【図５】クッション装置（右側障子用）の側面図であって、クッション解除装置によりクッション装置が働かないようにしたときの状態を示す。
【図６】クッション装置（右側障子用）の側面図であって、クッション装置が機能するときの状態を示す。
【図７】クッション装置（右側障子用）の平面図である。
【図８】下枠材の平面図である。
【図９（ａ）（ｂ）（ｃ）】本発明の横軸回転窓における障子開閉装置の開閉アームの動作を示す概略縦断面図である。
【図１０（ａ）（ｂ）（ｃ）】障子を障子開閉装置により閉鎖する際の、ロック装置とクッション解除装置の動きを順に示す室内側正面図である。
【図１１】本発明の横軸回転窓を２連窓のユニットとした実施形態を示す室内側正面図である。
【図１２】窓枠の縦枠材を方立で連結して連窓とする場合の実施形態を示す横断面図である。
【図１３（ａ）（ｂ）】従来の横軸回転窓における障子開閉装置とクッション装置の動作を示す概略縦断面図である。
【符号の説明】
【００２３】
１  障子
２  障子開閉装置
３  リニアアクチュエータ（駆動手段）
４  回転軸
５  支軸
６  開閉アーム
７ａ，７ｂ  腕
８  ベース
９  軸取付部材（弾性体）
１２ａ，１２ｂ，１２ｃ  縦枠材
３４  窓枠
３５  ロック装置
３７  スライダー（ロック装置の可動部）
３９  リニアアクチュエータ（駆動手段）
４２  クッション装置
４３  カム部材
５２  ゴムローラー（障子当接部）
５４  クッション解除装置
５５  連動部材
６２  方立
【図１】
2005146544.tif 000003
【図２】
2005146544.tif 000004
【図３】
2005146544.tif 000005
【図４】
2005146544.tif 000006
【図５】
2005146544.tif 000007
【図６】
2005146544.tif 000008
【図７】
2005146544.tif 000009
【図８】
2005146544.tif 000010
【図９（ａ）（ｂ）（ｃ）】
2005146544.tif 000011
【図１０（ａ）（ｂ）（ｃ）】
2005146544.tif 000012
【図１１】
2005146544.tif 000013
【図１２】
2005146544.tif 000014
【図１３（ａ）（ｂ）】
2005146544.tif 000015